(57)【特許請求の範囲】
【請求項１】
枠体と、この枠体に開閉自在に取り付けられ、遊技機の正面部を構成する扉体とを備え、前記枠体又は扉体の一方にはパルス光の送受を行う発光器及び受光器を備えた光センサを配設し、前記枠体又は扉体の他方には前記発光器及び受光器の間に介在して前記光センサのパルス光を遮光する遮光手段を配設した不正開扉検知装置付き遊技機であって、
前記遮光手段の貫通部及び／又は前記光センサの発光器及び受光器を複数設け、前記遮光手段により前記扉体の開扉時と閉扉時で前記光センサのパルス光を異なる態様で遮光，透光させることによって前記扉体の開扉と閉扉の別を検知するとともに、
前記発光器が照射する信号と前記受光器が入射する信号が連続的に一致している場合に遊技機の扉体が正常に閉扉されていると判断し、前記遮光手段によって前記発光器から照射されるパルス光が一度遮光され、前記受光器が一度パルス光の入射を停止した後、再び前記受光器がパルス光を入射した場合、又は前記受光器がパルス光を連続的に入射しなくなった場合に不正があったと判断する
ことを特徴とする不正開扉検知装置付き遊技機。
【請求項２】
前記遮光手段によって前記発光器から照射されるパルス光が一度遮光され、前記受光器が一度パルス光の入射を停止した後、再び前記受光器がパルス光を入射した場合に、前記扉体の不正開扉があったと判断する請求項1記載の不正開扉検知装置付き遊技機。
【請求項３】
前記比較器が、前記受光器におけるパルス光の入射が停止し、その後前記受光器からの出力がＬレベルのままである場合に、前記光センサが断線されたと判断する請求項１又は２記載の不正開扉検知装置付き遊技機。
【請求項４】
前記比較器が、前記受光器におけるパルス光の入射が停止し、その後前記受光器からの出力がＨレベルのままである場合に、前記光センサが短絡されたと判断する請求項１〜３のいずれかに記載の不正開扉検知装置付き遊技機。
【請求項５】
前記遮光手段が、遮光板に貫通部を穿設した構成である請求項１〜４のいずれかに記載の不正開扉検知装置付き遊技機。
【請求項６】
前記光センサが前記枠体側に配設され、前記遮光手段が前記扉体側に配設された請求項１〜５のいずれかに記載の不正開扉検知装置付き遊技機。
【発明の詳細な説明】
【０００１】
【発明の属する技術分野】
本発明は、枠体に対して開閉自在に扉体が取り付けられてなるパチンコや回胴遊技機（スロットマシン）等の遊技機に関し、特に、扉体が不正に開扉されることを確実に検知するとともに、検知手段の改変，破壊等が行われても直ちにそれを検知し、扉体の開扉による不正行為を確実に防止し、さらに、扉体の開扉と閉扉の別も検知することが可能となる不正開扉検知装置付き遊技機に関する。
【０００２】
【従来の技術】
パチンコ台や回胴遊技機（スロットマシン，通称パチスロ）等のホールなどの遊技場に設置されて使用される遊技機は、通常、ホールに川の字状に備えられた取付台に長方形枠状に形成された枠体（通称木枠）が埋め込まれ、この枠体に、遊技機パネル等を備えた扉体が開閉自在に取り付けられ、この扉体が遊技機の正面部を構成するようになっている。
【０００３】
枠体は、通常、ホールの取付台の両面に多数が隣接して列設され、枠体に取り付けられた扉体を開扉することによって遊技機の内部を開くことができる。
従って、ホールの作業者は、扉体を開扉することにより、必要な作業（例えば、遊技球や遊技メダルの払出し量の設定，変更、遊技機の修理，調整等）が行えるようになっている。
そして、扉体は、通常、ホールのオープン後は鍵がかけられて枠体側に施錠され、鍵を持ったホールの作業者でなければ開扉できないようになっている。
【０００４】
ところで、一般に、パチンコやスロットマシン等の遊技機においては、特に近年の最新技術を駆使した遊技機では、取付台も含めて扉体，枠体ともに隙間なく各種の部品や装置が組み込まれており、遊技機構造に余分な空間はほとんど存在しておらず、上述した扉体と枠体とを施錠する施錠構造はきわめて簡易な構造となっていた。
【０００５】
すなわち、パチンコ，スロットマシン等の遊技機では、より魅力ある遊技を可能と機能，装備が優先され、可能な限り多くの空間を遊技機本来の機能を果たす部品，装置で埋め尽くされるように設計されており、遊技機本来の機能とは直接関係のない枠体と扉体の施錠構造についてはほとんど意が払われていなかった。また、実際に周囲に多くの人がいる中で不正に扉体を開扉するような遊技者もいないと考えられていた。
【０００６】
このため、これまでの遊技機では、堅牢な施錠構造を備えることよりも、遊技者がより楽しめる多くの機能や装備を備えることが優先されて、施錠構造については、わずかに、扉体の遊技機外縁の一箇所に簡易な施錠構造が設けられているに過ぎなかった。
【０００７】
ところが、最近は、専門誌等のメディアの影響などもあって、遊技機の内部を操作することにより遊技球を不正に払い出せることが知られるようになり、しかも、扉体の施錠構造がきわめて簡易なものであって、不正に施錠を解除することが可能であることまで知られるようになってしまった。
【０００８】
このため、遊技機の扉体を不正に開扉して遊技球やメダルを大量に払出そうとする者が現れるようになった。
特に、悪質な場合には、大量の遊技球を自動的，継続的に払い出すための小型装置（通称「裏ＲＯＭ」）を作成し、これを遊戯機の内部に取り付けて不正に遊技球の払出しを得ようとする者もおり、このような不正者が集団で扉体を開扉して小型装置を仕掛けるといった犯罪行為まで堂々と行われるに至っている。
このため、遊技機の扉体の不正開扉の防止は、特にホール経営者にとって緊急の課題となっていた。
【０００９】
この点、扉体の施錠構造を増設したり、より大型で複雑な施錠構造を設けることにより不正開扉を防止することが最も迅速かつ効果的とも考えられるが、上述したように現在の遊技機では、多数の施錠構造や大型の施錠構造を設けることは、遊技機の構造上、設置スペースの点から困難な面もあり、また、施錠のみでは、堅牢な施錠であったとしても、必ず合い鍵等の解除手段が講じられ、不正開扉の防止手段として充分とは言えない面もあった。
【００１０】
そこで、このような遊技機における簡易な施錠構造を補い、狭い設置スペース内で有効に扉体の不正開扉防止を図る手段として、これまで、遊技機の扉体と枠体の間にマイクロスイッチを用いた開扉センサを設けることが提案されている。このような遊技機の扉体の開閉用のセンサとして用いられるマイクロスイッチは、遊技機の枠体側の扉体取付部分等に配設されて、扉体が閉扉されることによりスイッチがＯＮされて「正常」と判断されるようになっている。
一方、遊技機の扉体が開扉された場合には、マイクロスイッチが開放されてＯＦＦとなって、開扉されたことが検知され「不正」と判断されるようになっている。
そして、このセンサで「不正」が検知されると、遊技機内の配線等を通じて接続された各種の報知手段によって、ホール側に不正開扉が報知されるようになっている。
【００１１】
このような開扉センサを備えた遊技機によれば、マイクロスイッチという簡易かつ小型の装置により遊技機の狭いスペース内でも設置できると同時に、施錠が破られて扉体が不正に開扉されても直ちにホール側に報知されるので、不正者をその場で発見することができ、簡易な施錠構造を補完して、不正な遊技球の払い出しを防止することが可能であった。
【００１２】
【発明が解決しようとする課題】
しかしながら、このようなマイクロスイッチからなる従来の開扉センサでは、扉体が開扉されてもマイクロスイッチが押されていればスイッチがＯＮとなって「正常」と判断されてしまうので、不正者に容易にセンサが破られてしまうという問題が発生した。
例えば、扉体を不正に開扉すると同時に手やその他の部材を枠体前に挿入してマイクロスイッチが押さえられると、開扉されているにも拘わらず「正常」と判断されてしまい、ホール側には「不正」が報知されないままに、不正開扉による遊技球の払出しや不正装置の設置等の不正行為が自由に行われてしまうことになる。
【００１３】
また、マイクロスイッチによるセンサは、スイッチの物理的な接触によって遊技機内の配線を通じて電気信号がＯＮ／ＯＦＦされるだけなので、配線を短絡又は断線させても、電気信号がＯＮ又はＯＦＦされたままとなるだけなので、実際に遊技機内の配線の短絡又は断線部分を確認しない限り、ホール側では配線が不正に短絡又は断線されたことがわからないという問題もあった。
このため、仮にマイクロスイッチの配線が短絡又は断線されてしまった場合、以後マイクロスイッチがセンサとして機能していないことに気がつかず、その後も不正な開扉が繰り返されてしまうという事態が生ずるおそれもあった。
【００１４】
なお、特開平１０−１７９８９５号公報には、遊技機の枠体と蓋体に磁石とホール素子からなるセンサを備えた「遊技施設における不正防止装置」が提案されており、この公報中に、遊技機の不正開扉防止手段として光センサを用いることが可能であることと、その場合に一定の問題が生ずることが記載されている。
しかし、この公報の記載には、光センサをどのような構成により設け、その場合にどのような問題が生ずるのか、また、そのような問題をどのように解決するのかについては、具体的な記載は一切なく、単に不正を検知するセンサの一つとして光センサが存在することを一般的に言及したに止まるものである。
【００１５】
本発明は、このような従来の技術が有する問題を解決するために提案されたものであり、扉体が不正に開扉されることを確実に検知するとともに、検知手段の改変，破壊等が行われても直ちにそれを検知し、扉体の開扉による不正行為を確実に防止することができ、さらに、扉体の開扉と閉扉の別も検知することが可能となる不正開扉検知装置付き遊技機の提供を目的とする。
【００１６】
【課題を解決するための手段】
上記目的を達成するため、本発明の不正開扉検知装置付き遊技機は、枠体と、この枠体に開閉自在に取り付けられ、遊技機の正面部を構成する扉体とを備え、前記枠体又は扉体の一方にはパルス光の送受を行う発光器及び受光器を備えた光センサを配設し、前記枠体又は扉体の他方には前記発光器及び受光器の間に介在して前記光センサのパルス光を遮光する遮光手段を配設した不正開扉検知装置付き遊技機であって、前記遮光手段の貫通部及び／又は前記光センサの発光器及び受光器を複数設け、前記遮光手段により前記扉体の開扉時と閉扉時で前記光センサのパルス光を異なる態様で遮光，透光させることによって前記扉体の開扉と閉扉の別を検知するとともに、前記発光器が照射する信号と前記受光器が入射する信号が連続的に一致している場合に遊技機の扉体が正常に閉扉されていると判断し、前記遮光手段によって前記発光器から照射されるパルス光が一度遮光され、前記受光器が一度パルス光の入射を停止した後、再び前記受光器がパルス光を入射した場合、又は前記受光器がパルス光を連続的に入射しなくなった場合に不正があったと判断する構成としてある。
【００１７】
本発明によれば、受光器側から照射されるパルス信号と受光器側に入射されるパルス信号を比較し、信号が一致する場合を「正常」とし、一致しない場合を「不正」と判断することにより、扉体の開扉により光線が遮光された場合は勿論のこと、受光器側あるいは発光器側の配線を断線又は短絡させても、受光器側と発光器側のパルス信号が不一致となるので、光センサは何らかの「不正」が行われたことを検知することができる。
【００１８】
また、本発明の不正開扉検知装置付き遊技機は、前記遮光手段の貫通部及び／又は前記光センサの発光器及び受光器を複数設け、前記遮光手段により前記扉体の開扉時と閉扉時で前記光センサのパルス光を異なる態様で遮光，透光させることによって前記扉体の開扉と閉扉の別を検知する構成をも有している。
【００１９】
本発明によれば、遮光手段の貫通部を複数設けたり、発光器及び受光器を複数設けることにより、光センサの光線の遮光態様を扉体の開扉時と閉扉時とで異ならせることができる。
例えば、遮光手段に複数の貫通部を備え、この複数の貫通部を備えた遮光手段によって、光センサのパルス光を扉体の開扉時と閉扉時で異なる態様で遮光することによって、当該光センサにより扉体の開扉と閉扉の別を検知することができる。
また、光センサに複数の発光器及び受光器を備え、この複数の発光器及び受光器間で送受される複数のパルス光を、遮光手段によって扉体の開扉時と閉扉時で異なる態様で遮光することによって、当該光センサにより扉体の開扉と閉扉の別を検知することができる。
【００２０】
また、本発明の不正開扉検知装置付き遊技機は、前記遮光手段によって前記発光器から照射されるパルス光が一度遮光され、前記受光器が一度パルス光の入射を停止した後、再び前記受光器がパルス光を入射した場合に、前記扉体の不正開扉があったと判断する構成としてある。
【００２１】
本発明によれば、従来のマイクロスイッチによるセンサのように、扉体の開扉と同時にマイクロスイッチを押さえてセンサをＯＮ状態にするような不正行為は不可能となり、扉体が開扉されているにも拘わらずセンサが「正常」と判断するようなことが一切なくなる。
これにより、本発明では、扉体が不正に開扉されることを確実に検知することができる。
【００２２】
また、本発明の不正開扉検知装置付き遊技機は、前記比較器が、前記受光器におけるパルス光の入射が停止し、その後前記受光器からの出力がＬレベルのままである場合に、前記光センサが断線されたと判断する構成としてある。
【００２３】
また、本発明の不正開扉検知装置付き遊技機は、前記比較器が、前記受光器におけるパルス光の入射が停止し、その後前記受光器からの出力がＨレベルのままである場合に、前記光センサが短絡されたと判断するする構成としてある。
【００２４】
本発明によれば、光センサに加えられる断線や、短絡等の不正をも確実に検知することができる。これにより、光センサに改変，破壊等の不正行為が行われたとしても、直ちにそのことが検知でき、検知手段の改変，破壊等による悪質な扉体の開扉行為も確実に防止することが可能となる。
【００２５】
また、本発明の不正開扉検知装置付き遊技機は、前記遮光手段が、遮光板に貫通部を穿設した構成としてある。
【００２６】
本発明によれば、扉体が閉じられた状態で受光器が発光器からのパルス光を受光して「正常」と判断し、扉体を開扉すると必ず遮光手段が光センサのパルス光を遮光して「不正」と判断し、扉体の開扉が確実に検知される。
【００２７】
また、本発明の不正開扉検知装置付き遊技機は、前記光センサが前記枠体側に配設され、前記遮光手段が前記扉体側に配設された構成としてある。
【００２８】
本発明によれば、発光器及び受光器に接続されるケーブル等は、そのまま枠体が埋め込まれた取付台の内部に配線することができ、開閉される扉体側には配線等を接続する必要がなくなり、扉体は開閉動作が阻害されることなく、円滑に開閉することができる。
【００２９】
これにより、光センサが扉体の開扉と閉扉の別を検知し、例えば「閉扉」のときは「正常」とし、「開扉」のときは「不正」と判断すれば、扉体が開扉されたときのみ「不正」が報知されるようにすることが可能となる。
このように扉体の「開扉」と「閉扉」と区別して検知することにより、例えば、遊技機のシステム起動時には扉体が「開扉」された状態となっており、システム起動後に作業者が必要な点検等を行った後に「閉扉」するような場合には、「正常」と判断されて、無用な「不正」報知がなされないようすることができる。
【００３０】
【発明の実施の形態】
以下、本発明の不正開扉検知装置付き遊技機の実施の形態について、図面を参照して説明する。
［第一実施形態］
まず、本発明の不正開扉検知装置付き遊技機の第一実施形態について図１〜図３を参照して説明する。
図１は、本発明の第一実施形態にかかる不正開扉検知装置付き遊技機を示す概略要部断面側面図である。
図２は、本実施形態にかかる不正検知装置を構成する光センサを示すブロック図である。
また、図３（ａ）〜（ｃ）は、本実施形態にかかる不正検知装置を構成する光センサと遮光板の関係を示す概略要部斜視図である。
【００３１】
これらの図に示すように、本実施形態の不正開扉検知装置付き遊技機は、パチンコ台や回胴遊技機（スロットマシン，通称パチスロ）等のホールなどの、遊技場に設置されて使用される遊技機であり、図１に示すように取付台１に埋め込まれた枠体２と、枠体２に開閉自在に取り付けられた、遊技機の正面部を構成する扉体３とを備えている。
【００３２】
取付台１は、通常、ホールに川の字状に備えられた遊技機の設置台で、内部は各種の装置や部品，配線等が配設できるようになっている。
そして、この取付台１の外側両面（図１に示す右面及び左面）には、長方形枠状に形成された通称「木枠」とも呼ばれる枠体２が埋め込まれている。
この枠体２は、通常、取付台１の両面に長手方向に沿って複数の枠体２が隣接した状態で列設されるようになっている。
【００３３】
そして、この枠体２に、図示しないヒンジ等を介して扉体３が開閉自在に取り付けられており、この扉体３を開扉することによって取付台１の内部を開くことができるようになっている。
この扉体３は、それぞれパチンコの遊技パネル等を備えており、遊技機の正面部を構成している。
また、扉体３には、図示しない施錠構造が遊技パネルの外縁部に備えられ、枠体２側に施錠されて開扉できないようになっている。
【００３４】
そして、本実施形態では、枠体２と扉体３に、光センサ１０と遮光板２０からなる不正開扉検知装置が備えてある。
光センサ１０は、図１に示すように、枠体２側に配設された光線の送受を行う発光器１１及び受光器１２を備えている。
【００３５】
ここで、本実施形態の発光器１１及び受光器１２は、光線の送受が行われて、受光及び遮光を検知できるものであればどのようなものでもよい。
一般的には、ＬＥＤとフォトダイオードからなる光センサが用いられる。
このようなＬＥＤとフォトダイオードからなる光センサは高性能かつ非常に小型化されており、設置スペースがきわめて限定された遊戯機内部に設定する光センサとして好適である。
【００３６】
また、本実施形態の光センサ１０では、発光器１１から照射される光線が連続光となっており、この連続光からなる光線を受光器１２で受光，検知されるか否かが判断されるようになっている。
このように光センサ１０の光線を連続光とすることで、後述する遮光板２０によって連続光の光線がわずかでも遮光されれば光センサがそれを検知できるので、後述するように、不正者が扉体を開扉しようしても、必ず光センサ１０が不正開扉を検知でき、不正に扉体を開扉することは不可能となる。
【００３７】
なお、本実施形態では、これら発光器１１及び受光器１２からなる光センサ１０を枠体２側に配設し、後述するように、板状部材からなる遮光板２０を扉体３側に取り付けるようにしてある。
これにより、発光器１１及び受光器１２に接続される図示しないケーブル等は、そのまま枠体２が埋め込まれた取付台１の内部空間に配線することができ、開閉される扉体３側には配線等を接続する必要がなく、光センサ１０を設けても扉体３の開閉動作が阻害されるようなことはない。
ただし、扉体３の開閉動作に影響がなければ、発光器１１及び受光器１２を扉体３側に設け、遮光板２０を枠体２側に取り付けることもできる。
【００３８】
また、光センサ１０には、図２に示すように、報知手段３０が接続されており、後述するように、光センサ１０の光線が遮光板２０によって遮光され受光器１２で受光，検知されないと、光センサ１０で「不正」と判断され、報知手段３０に信号が出力されるようになっている。
そして、光センサ１０から信号が入力されると、報知手段３０は所定の報知を実行するようになっている。
【００３９】
ここで、この報知手段３０としては、外部に不正開扉を報知できるものであればどのような手段であってもよく、例えば、ランプの点灯，ブザーによる警告音の発生等、どのような報知手段でもよい。
また、報知手段３０は、光センサ１０と接続されている限り、いずれの箇所に設けることもでき、例えば、遊戯機の正面パネル等のランプをそのまま報知手段としてもよいし、別途警告用のランプ，ブザーを設けることもでき、取付台１の内部の配線を経由して、遊技者にわからないホール側の事務所や端末等において不正を報知するようにしてもよい。
【００４０】
一方、遮光板２０は、扉体３側に配設されており、枠体２側の発光器１１及び受光器１２の間の光軸上に介在することによって光センサ１０の光線を通過させ又は遮光する遮光手段となっている。
この遮光板２０は、図１及び図３に示すように、Ｌ字形状に曲折形成された板状部材からなり、Ｌ字の垂直板部分が扉体３の枠体２に対向する内側面に固定されており、これによってＬ字の水平板部分が光センサ１０の発光器１１と受光器１２の光軸間に突出するようになっている。
【００４１】
また、この遮光板２０の水平板部分には、図３に示すように、貫通孔２１が穿設してあり、この貫通孔２１が、光センサ１０の発光器１１と受光器１２の光軸上に位置して光センサ１０の光線を透光する貫通部となっている。
そして、このような貫通孔２１を備えた遮光板２０が、扉体３が枠体２に対して閉じられた状態のときに、光センサ１０の光線が貫通孔２１を通過する位置に配設されるようになっている（図３（ａ）参照）。
【００４２】
なお、貫通孔２１の大きさ，形状については、光センサ１０の光線を通過できる貫通部であれば特に限定はないが、扉体３のわずかな開扉でも検知できるようにするには、貫通孔２１を光センサ１０の光線が通過できるだけの大きさとし、扉体３が少しでも移動すれば、遮光板２０の貫通孔２１を除く部分が光線を遮光できるようにすることが好ましい。
【００４３】
また、貫通孔２１の形状も、光センサ１０の光線が通過可能である限りどのような形状とすることもでき、本実施形態の丸孔形状だけでなく、長孔，角孔形状等することも可能である。
さらに、孔以外にも、光センサ１０の光線が通過可能であれば、例えば、遮光板２０の一部を切り欠いて設けた貫通溝としてもよい。
すなわち、遮光板２０に光線の通過可能な貫通部が形成してあれば、本実施形態と同様の効果を得ることが可能となるものである。
【００４４】
一方、遮光板２０の形状も、本実施形態では、板状部材をＬ字形状に形成したものを採用してあるが、板状，Ｌ字形状に限定されるものではなく、これ以外の形状，態様の遮光部材を採用することもできる。
すなわち、遮光板２０については、扉体３（又は枠体２）に配設されて、発光器１１及び受光器１２の間に介在して光センサ１０の光線を遮光できる部材であれば、どのような遮光手段を採用することも可能である。
【００４５】
以上のような光センサ１０及び遮光板２０を備えた本実施形態の遊戯機では、扉体３の開閉移動にともなって遮光板２０が発光器１１及び受光器１２の光軸に対して進退するので、発光器１１から照射される光線は、扉体３が枠体２に対して閉じられているときは、遮光板２０の貫通孔２１を通過して受光器１２で受光されることになる。
【００４６】
一方、扉体３が開扉されたり、一度開扉された扉体３が閉扉されると、発光器１１からの光線が遮光板２０の貫通孔２１以外の部分によって遮光され、受光器１２で検知されないことになる。
そして、発光器１１からの光線が受光器１２で受光，検知されない場合には、光センサ１０が「不正」と判断し、報知手段３０に信号を出力して所定の報知を実行させる。
【００４７】
次に、このような構成からなる本実施形態の不正開扉検知装置付き遊技機の動作について図３を参照しつつ説明する。
まず、図３（ａ）に示すように、扉体３が枠体２に対して閉じられている状態では、発光器１１から照射された光センサ１０の連続光は、遮光板２０の貫通孔２１を通過して受光器１２に受光，検知されている。
この状態では、光センサ１０は「正常」と判断し、報知手段３０には信号を出力しない。
【００４８】
次いで、扉体３が、図示しない施錠が壊される等によって不正に開扉されると、図３（ｂ），（ｃ）に示すように、扉体３とともに遮光板２０も開扉方向に移動する。
遮光板２０が移動すると、遮光板２０の貫通孔２１が発光器１１及び受光器１２の光軸上がずれ、貫通孔２１を除いた遮光板２０の水平板部分が光線を遮光する。
【００４９】
光線が遮光されると、受光器１２で光線が受光されなくなり、光センサ１０では「不正」と判断される。
光センサ１０で「不正」と判断されると、報知手段３０に信号が出力され、報知手段３０は所定の不正報知を実行する。
これにより、不正開扉が行われていることがホール側に報知され、不正が行われていることが発見される。
【００５０】
このように本実施形態の不正開扉検知装置付き遊技機によれば、開閉可能な扉体３と枠体２の枠体２側に光センサ１０を、扉体３側に貫通孔２１を有する遮光板２０を配設し、かつ、扉体３が枠体２に対して閉じられた状態のときに、光センサ１０の光線が遮光板２０の貫通孔２１を通過する位置に設けてあるので、扉体３が閉じられた状態で受光器１２が発光器１１からの光線を受光して「正常」と判断し、扉体３を開扉すると必ず遮光板２０が光センサ１０の光線を遮光して「不正」と判断し、扉体３の開扉が確実に検知される。
【００５１】
すなわち、このような光センサ１０と遮光板２０からなる開扉検知手段によれば、従来のマイクロスイッチによるセンサのように、扉体の開扉と同時にマイクロスイッチが押さえてセンサをＯＮ状態にするような不正行為は不可能となり、扉体が開扉されているにも拘わらずセンサが「正常」と判断するようなことが一切なくなる。
これにより、本発明では、扉体３が不正に開扉されることを確実に検知することができる。
【００５２】
また、本発明の光センサ１０と遮光板２０からなる検知手段は、発光器１１及び受光器１２と、これらの間に介在する板状の遮光板２０によって構成でき、検知装置がきわめて簡易かつ小型な構成となる。
これにより、遊技機における簡易な施錠構造を補いつつ、狭い設置スペース内で有効に扉体３の不正開扉防止を図ることが可能となる。
【００５３】
［第二実施形態］
次に、本発明の不正開扉検知装置付き遊技機の第二実施形態について図４〜図６を参照して説明する。
図４は、本発明の第二実施形態にかかる不正検知装置を構成する光センサを示すブロック図である。
図５及び図６は、本実施形態にかかる不正検知装置を構成する光センサのパルス光を示す説明図であり、図５は扉体が枠体に対して閉じられた状態の場合を、図６は、不正状態の場合を示している。
【００５４】
これらの図に示す本実施形態の不正開扉検知装置付き遊戯機は、上述した第一実施形態の変実施形態であり、第一実施形態において光センサ１０の発光器１１，受光器１２が照射，受光する光線が連続光であったのに対し、本実施形態では、発光器及び受光器がパルス光を照射するパルス発光器１１ａ，パルス受光器１２ａとなっている。
そして、光センサ１０には、図４に示すように、これらパルス発光器１１ａ及びパルス受光器１２ａで照射及び受光されたパルス信号を比較する比較部１３を備えている。
【００５５】
パルス発光器１１ａから照射されたパルス光は、扉体３が枠体２に対して閉じられた状態のときには、遮光板２０の貫通孔２１を通過してパルス受光器１２ａに受光，検知される。
従って、図５に示すように、パルス発光器１１ａから照射されるパルス光とパルス受光器１２ａで受光されるパルス光は、扉体３が枠体２に対して閉じられた状態のときには、常に同じパルス信号となる。
【００５６】
一方、扉体３が不正に開扉された場合には、遮光板２０が移動してパルス発光器１１ａからのパルス光が遮光されるので、パルス受光器１２ａで受光されるパルス光の信号は図６に示すように、パルス発光器１１ａ側の信号と異なるものとなる。
そして、このようなパルス発光器１１ａ側のパルス信号とパルス受光器１２ａ側のパルス信号とを、図４に示す比較部１３で比較し、信号が一致する場合には「正常」と、信号が一致しない場合には「不正」と判断するようにしてある。
なお、本実施形態の遊戯機におけるその他の構成部分については、第一実施形態の場合と同様の構成となっており、詳細な説明は省略する。
【００５７】
このよう構成からなる本実施形態の不正開扉検知装置付き遊技機によれば、上述した第一実施形態の連続光の光線との場合と同様に、確実に不正開扉を検知することができるとともに、さらに、光センサ１０の改変，破壊等も確実に検知することが可能となる。
【００５８】
すなわち、光線をパルス光とし、パルス受光器１１ａ側から照射されるパルス信号とパルス受光器１２ａ側に入射されるパルス信号を比較し、信号が一致する場合を「正常」とし、一致しない場合を「不正」と判断することにより、扉体３の開扉により光線が遮光された場合は勿論のこと、光センサ１０の改変，破壊等が行われてもパルス受光器１１ａ側とパルス発光器１２ａ側のパルス信号が不一致となるので、光センサが「不正」がおこなわれたことを検知できる。
【００５９】
例えば、パルス受光器１１ａ側（又はパルス発光器１２ａ側）の配線が断線された場合には、パルス受光器１２ａ側で受光されるパルス光の信号は、図６に示すように、Ｈレベルのままとなり、パルス発光器１１ａ側の信号と一致しない。また、パルス受光器１１ａ側の配線を短絡させた場合、パルス受光器１２ａ側の受光信号は、図６に示すように、Ｌレベルのままとなり、やはりパルス発光器１１ａ側の信号と一致しない。
【００６０】
そして、この信号の一致，不一致を比較部１３で判断することにより、光センサ１０に対し何らかの「不正」が行われたことを検知することができる。
これにより、光センサ１０に改変，破壊等の不正行為が行われたとしても、直ちにそのことが検知でき、検知手段の改変，破壊等による悪質な扉体の開扉行為も確実に防止することが可能となる。
【００６１】
［第三実施形態］
次に、本発明の不正開扉検知装置付き遊技機の第三実施形態について図７〜図１４を参照して説明する。
図７は、本発明の第三実施形態の一の実施形態にかかる不正検知装置を構成する光センサを示すブロック図である。
図８（ａ）〜（ｃ）は、図７に示す不正検知装置を構成する光センサと遮光板の関係を示す概略要部斜視図であり、図９は、同じく光センサと遮光板の図８に続く関係を示す概略要部斜視図である。
また、図１０は、図７に示す不正検知装置を構成する光センサのパルス光を示す説明図であり、扉体の開扉時及び閉扉時の状態の場合を示している。
【００６２】
一方、図１１は、本発明の第三実施形態の他の実施形態にかかる不正検知装置を構成する光センサを示すブロック図である。
図１２（ａ）〜（ｃ）は、図１１に示す不正検知装置を構成する光センサと遮光板の関係を示す概略要部斜視図であり、図１３は、同じく光センサと遮光板の図１２に続く関係を示す概略要部斜視図である。
また、図１４は、図１１に示す不正検知装置を構成する光センサのパルス光を示す説明図であり、扉体の開扉時及び閉扉時の状態の場合を示している。
【００６３】
これらの図に示すように、本実施形態では、上述した光センサにパルス光を用いた第二実施形態の変更実施形態であり、遮光板２０による光センサ１０のパルス光の遮光態様を、扉体３の開扉時と閉扉時とで異ならせることにより、扉体３の開扉と閉扉とを区別して検知できるようにしたものである。
一般に、ホールの運営にあたっては、遊技機のシステム起動時には扉体を「開扉」した状態としておき、システム起動後に作業者が必要な点検等を行った上で、扉体を「閉扉」することがある。
【００６４】
そこで、本実施形態の遊戯機では、このような作業者の適正な「閉扉」動作ではセンサが「不正」と判断しないように、扉体３の「開扉」と「閉扉」とを区別して判断できるようにしたものである。
具体的には、遮光板２０に設ける貫通孔２１や、光センサ１０のパルス光を照射，受光するパルス発光器１１及びパルス受光器１２を複数備えることによって、遮光板２０によるパルス光の遮光を、扉体３の開扉時と閉扉時で異なる態様で遮光及び通過させ、これによって光センサ１０の比較部１３及び開扉判定部１４により扉体３の開扉と閉扉の別を検知する構成としてある。
なお、本実施形態の遊戯機におけるその他の構成部分については、第一実施形態の場合と同様の構成となっており、詳細な説明は省略する。
【００６５】
このような遮光態様を扉体３の開扉時と閉扉時とで異ならせるための構成は種々のものがある。
例えば、図７〜図１０に示す形態では、遮光板２０には、二つの貫通孔２１ａ，２１ｂが設けてある。
この二つの貫通孔２１ａ，２１ｂは、扉体３が枠体２に対して閉じられた状態のときに、扉体３側に近い貫通孔２１ａに光センサ１０のパルス光が通過する位置に形成してある（図８（ａ）参照）。
【００６６】
また、この二つの貫通孔２１ａ，２１ｂは、遮光板２０の移動線上に沿って形成されるとともに、両貫通孔２１ａ，２１ｂ間の移動線上の距離と、遊戯機内側に位置する貫通孔２１ｂから遮光板２０の縁部までの距離を異ならせてある（図８及び図９参照）。
このような二つの貫通孔２１ａ，２１ｂを備えた遮光板２０によって、光センサ１０のパルス光を遮光すると、図１０に示すように、パルス受光器１２ａで受光されるパルス信号は、扉体３の開扉時と閉扉時で異なる信号となる。
【００６７】
そして、図７に示す光センサ１０には、比較部１３からのパルス信号が開扉時か閉扉時かを判定する開扉判定部１４を備え、この開扉判定部１４には、開扉時及び閉扉時の基準となる判定信号があらかじめ記憶してある。
この開扉判定部１４では、比較部１３から入力されたパルス信号があらかじめ記憶してある判定信号に基づき開扉時の信号か閉扉時の信号かを判定し、これによって、扉体３の開扉と閉扉の別を検知できるようになっている。
【００６８】
一方、図１１〜図１４に示す形態では、遮光板２０に二つの貫通孔２１ｃ，２１ｄを設けるとともに、光センサ１０には二つのパルス発光器１１ｃ，１１ｄ及びパルス受光器１２ｃ，１２ｄが設けてある。
この二つの貫通孔２１ｃ，２１ｄは、扉体３が枠体２に対して閉じられた状態のときに、二つのパルス発光器１１ｃ，１１ｄからのパルス光がそれぞれ通過する位置に形成してある（図１２（ａ）参照）。
【００６９】
また、この二つの貫通孔２１ｃ，２１ｄは、遮光板２０の移動線上に沿って形成されるとともに、両貫通孔２１ｃ，２１ｄ間の移動線上の距離と、遊戯機内側に位置する貫通孔２１ｂから遮光板２０の縁部までの距離は同一とし、かつ、この両貫通孔２１ｃ，２１ｄの移動線上方向の孔径を異ならせてある（図１２及び図１３参照）。
【００７０】
このように、二つの貫通孔２１ｃ，２ｄを備えた遮光板２０によって二つのパルス発光器１１ｃ，１１ｄ及びパルス受光器１２ｃ，１２ｄを備えた光センサ１０の二つのパルス光を遮光すると、図１４に示すように、二つのパルス受光器１２ｃ，１２ｄで受光されるパルス信号の組合せが、扉体３の開扉時と閉扉時で異なる信号の組合せとなる。
【００７１】
そして、図１１に示す光センサ１０には、二つのパルス発光器１１ｃ，１１ｄ及びパルス受光器１２ｃ，１２ｄごとに二つの比較部１３ｃ，１３ｄが備えてあり、各比較部１３ｃ，１３ｄからのパルス信号の組合せが開扉時か閉扉時かを判定する開扉判定部１４が備えてあり、この開扉判定部１４には、開扉時及び閉扉時の基準となる判定信号の組合せをあらかじめ記憶してある。
この開扉判定部１４では、各比較部１３ｃ，１３ｄから入力されたパルス信号の組合せが、あらかじめ記憶した判定信号の開扉時の組合せか閉扉時の組合せかを判定し、これによって、扉体３の開扉と閉扉の別を検知できるようになっている。
【００７２】
そして、以上のように扉体３の開扉時と閉扉時で異なる態様となるパルス信号が開扉判定部１４で「開扉」と判定された場合には「不正」が行われたと判断し、報知手段３０に報知信号が出力され、所定の報知が実行される。
一方、開扉判定部１４で「閉扉」と判断された場合には「正常」と判断されて、報知手段３０には信号が出力されない。
【００７３】
なお、遮光態様を扉体３の開扉時と閉扉時とで異ならせるための構成は上述した二つの形態以外にも種々のものがあり、どのような形態であっても、扉体３の開扉時と閉扉時の遮光態様が異なる限り本発明を適用することができる。
例えば、移動線上に等間隔で同径に形成された二つの貫通孔２１，２１に対して、扉体３が閉じられた状態のときに、二つのパルス発光器１１，１１からのパルス光がそれぞれ通過する位置に形成した場合に、各パルス光の光軸が二つの貫通孔の中心からそれぞれ反対方向に離間した位置を通過するようにしても、扉体３の開扉時と閉扉時で異なる遮光態様となる。
【００７４】
なお、本実施形態において遮光板２０に設ける貫通孔２１は、二つの場合に限られず、三つ以上とすることもできる。
同様に、光センサ１０のパルス発光器１１，パルス受光器１２についても、二つの場合に限られるず、三つ以上設けることもできる。
【００７５】
このように本実施形態の不正開扉検知装置付き遊技機によれば、遮光板２０の貫通孔２１を複数設けたり、パルス発光器１１及びパルス受光器１２を複数設けることにより、光センサ１０の光線の遮光態様を扉体３の開扉時と閉扉時とで異ならせることができる。
これにより、光センサ１０が扉体３の開扉と閉扉の別を検知し、例えば「閉扉」のときは「正常」とし、「開扉」のときは「不正」と判断すれば、扉体３が開扉されたときのみ「不正」が報知されるようにすることが可能となる。
【００７６】
このように扉体３の「開扉」と「閉扉」と区別して検知することにより、例えば、遊技機のシステム起動時には扉体３が「開扉」された状態となっており、システム起動後に作業者が必要な点検等を行った後に「閉扉」するような場合には、その「閉扉」は「正常」と判断されて、無用な「不正」報知がなされないようすることができる。
【００７７】
以上、本発明の実施形態を説明したが、本発明は上述した第一〜第四実施形態に示すものに限定されるものではなく、本発明の要旨の範囲内において種々の変更実施が可能であることは言うまでもない。
例えば、上記実施形態では、いずれもパチンコ遊技機に適用した場合であるが、本発明の遊技機はパチンコ遊技機に限られず、回胴遊技機（スロットマシン）やアレンジボール，雀球等の遊技機にも適用することができる。
すなわち、本発明は、枠体と、枠体に開閉自在に取り付けられた扉体とを備えて、扉体の不正開扉を防止する必要のあるすべての遊技機にできるものである。
【００７８】
【発明の効果】
以上説明したように本発明の不正開扉検知装置付き遊技機によれば、扉体が不正に開扉されることを確実に検知するとともに、検知手段の改変，破壊等が行われても直ちにそれを検知し、扉体の開扉による不正行為を確実に防止することができ、さらに、扉体の開扉と閉扉の別も検知することが可能となる。
【図面の簡単な説明】
【図１】本発明の第一実施形態にかかる不正開扉検知装置付き遊技機を示す概略要部断面側面図である。
【図２】本発明の第一実施形態にかかる不正検知装置を構成する光センサを示すブロック図である。
【図３】（ａ）〜（ｃ）は、本発明の第一実施形態にかかる不正検知装置を構成する光センサと遮光板の関係を示す概略要部斜視図である。
【図４】本発明の第二実施形態にかかる不正検知装置を構成する光センサを示すブロック図である。
【図５】本発明の第二実施形態にかかる不正検知装置を構成する光センサのパルス光を示す説明図であり、扉体が枠体に対して閉じられた状態の場合を示している。
【図６】本発明の第二実施形態にかかる不正検知装置を構成する光センサのパルス光を示す説明図であり、不正状態の場合を示している。
【図７】本発明の第三実施形態の一の実施形態にかかる不正検知装置を構成する光センサを示すブロック図である。
【図８】（ａ）〜（ｃ）は、図７に示す不正検知装置を構成する光センサと遮光板の関係を示す概略要部斜視図である。
【図９】（ａ）〜（ｃ）は、図７に示す不正検知装置を構成する光センサと遮光板の図８に続く関係を示す概略要部斜視図である。
【図１０】図７に示す不正検知装置を構成する光センサのパルス光を示す説明図であり、扉体の開扉時及び閉扉時の状態の場合を示している。
【図１１】本発明の第三実施形態の他の実施形態にかかる不正検知装置を構成する光センサを示すブロック図である。
【図１２】（ａ）〜（ｃ）は、図１１に示す不正検知装置を構成する光センサと遮光板の関係を示す概略要部斜視図である。
【図１３】（ａ）〜（ｃ）は、図１１に示す不正検知装置を構成する光センサと遮光板の図１２に続く関係を示す概略要部斜視図である。
【図１４】図１１に示す不正検知装置を構成する光センサのパルス光を示す説明図であり、扉体の開扉時及び閉扉時の状態の場合を示している。
【符号の説明】
１  取付台
２  枠体
３  扉体
１０  光センサ
１１  発光器
１２  受光器
１３  比較部
１４  開扉判定部
２０  遮光板
２１  貫通孔
３０  報知手段
【図１】
0003713388.tif 000002
【図２】
0003713388.tif 000003
【図３】
0003713388.tif 000004
【図４】
0003713388.tif 000005
【図５】
0003713388.tif 000006
【図６】
0003713388.tif 000007
【図７】
0003713388.tif 000008
【図８】
0003713388.tif 000009
【図９】
0003713388.tif 000010
【図１０】
0003713388.tif 000011
【図１１】
0003713388.tif 000012
【図１２】
0003713388.tif 000013
【図１３】
0003713388.tif 000014
【図１４】
0003713388.tif 000015